(57)【特許請求の範囲】
【請求項１】
パネルラジエータ本体と、この本体の背面上部に設けられた縦断面形状が略クランク状の係止具と、室内の壁に取付けられ、前記係止具を係止させる支持具とを備え、前記支持具は、上部に斜め上向きに傾斜した傾斜部を有すると共に、その傾斜部の先端には略Ｌ字状に屈曲した屈曲部を形成し、この屈曲部との間に前記係止具を挟持するための挟持用空間を形成する挟持具を前記傾斜部に設け、前記挟持具の先端部は、壁側に向かって折曲されていることを特徴とするパネルラジエータの取付構造。
【請求項２】
前記挟持具には、係止された状態の係止具が外れるのを防ぐ凸部を設け、前記挟持具の先端部は、壁側に向かって折曲されていることを特徴とする請求項１に記載のパネルラジエータの取付構造。
【請求項３】
前記挟持具は、弾性材料にて作成され、前記挟持具の先端部は、壁側に向かって折曲されていることを特徴とする請求項１又は２に記載のパネルラジエータの取付構造。
【発明の詳細な説明】
【０００１】
【発明の属する技術分野】
この発明は、パネルラジエータ本体を壁面に取り付けるための取付構造に関する。
【０００２】
【従来の技術】
従来、パネルラジエータ本体１を壁Ｗに取り付けるためには、図７及び図８に示すように、壁固定用の孔３０Ｃ、３０Ｄを介して壁Ｗの適所に所定の間隔を持ってビスにて固定された支持具３０の上部の先端に設けられた爪部３０Ａに、パネルラジエータ本体１の背面１Ａ上部に設けられた縦断面形状が略クランク状をした係止具２の折曲部の一端２Ｃを掛止し、下部に設けられている爪部３０Ｂにパネルラジエータ本体１の下端部を係止する。その掛止した係止具２の係止具水平片２Ｂを固定具３１にて押さえ、固定具３１をネジＮにて支持具３０に固定してパネルラジエータ本体１の上方への移動を抑制し、パネルラジエータ本体１を室内の壁Ｗに取付けていた。
【０００３】
支持具３０は、略短冊状をした金属板で作成され、その形状は上部の先端を略コ字状に折曲形成した爪部３０Ａを有し、下部の先端は斜め下向きに傾斜し、その先端を略コ字状に屈曲した爪部３０Ｂが設けられ、壁固定用の孔３０Ｃ、３０Ｄが開口している。また、固定具３１は、縦断面形状が略クランク状をしており、下部の水平片の両端は下方向に直角に屈曲した短片を有しており、水平片の略中央には固定用の孔が開口され、前記支持具３０の上部の爪部３０ＡにネジＮにて固定されるように構成されている。
【０００４】
【発明が解決しようとする課題】
しかしながら、従来のパネルラジエータ本体１の取付構造は、支持具３０の他に別部品の固定具３１を必要とし、また、パネルラジエータ本体１を支持具３０に取付け、取外す際には、ネジＮにより支持具３０に固定してある固定具３１を、ネジＮを締めたり、緩めたりしなければならない。この際にドライバー等の工具Ｄを使用する。このとき、パネルラジエータ本体１の背面１Ａと壁Ｗとの隙間寸法Ｔが非常に小さいのでネジＮの締め、緩めが非常にやりずらく、また、壁Ｗに傷を付け易いなどの問題があった。
【０００５】
本発明は上述したような従来の問題点を解決したものであり、構造が簡単でしかも容易にパネルラジエータ本体を固定することのできる取付構造を提供することを目的とする。
【０００６】
【課題を解決するための手段】
前記課題を解決するために、請求項１に記載の発明では、パネルラジエータ本体と、この本体の背面上部に設けられた縦断面形状が略クランク状の係止具と、室内の壁に取付けられ、前記係止具を係止させる支持具とを備え、前記支持具は、上部に斜め上向きに傾斜した傾斜部を有すると共に、その傾斜部の先端には略Ｌ字状に屈曲した屈曲部を形成し、この屈曲部との間に前記係止具を挟持するための挟持用空間を形成する挟持具を前記傾斜部に設け、前記挟持具の先端部は、壁側に向かって折曲されていることを特徴とする。
【０００７】
請求項２に記載の発明では、請求項１に記載のパネルラジエータの取付構造において、前記挟持具には、係止された状態の係止具が外れるのを防ぐ凸部を設け、前記挟持具の先端部は、壁側に向かって折曲されていることを特徴とする。
【０００８】
請求項３に記載の発明では、請求項１又は２に記載のパネルラジエータの取付構造において、前記挟持具は、弾性材料にて作成され、前記挟持具の先端部は、壁側に向かって折曲されていることを特徴とする。
【００１０】
【発明の実施の形態】
以下、この発明の一実施形態を図１乃至図６に基づき説明する。図１は本発明の一実施形態を示す壁に取付けた支持具からパネルラジエータ本体を取外した状態を説明する説明図、図２は壁に取付けた支持具にパネルラジエータ本体を取付けた状態の側面図、図３は挟持用空間にパネルラジエータ本体の係止具が挟持される前の状態を説明する説明図、図４はパネルラジエータ本体の係止具が挟持具の凸部を押圧することにより挟持具が反る状態を説明する説明図、図５はパネルラジエータ本体の係止具が支持具と挟持具とにより挟持された状態を説明する説明図、図６は挟持用空間よりパネルラジエータ本体の係止具が上方へ外れるのを挟持具の凸部により抑制されている状態を説明する説明図である。
【００１１】
図において、パネルラジエータ本体１は前面に波状の放熱パネル１Ｂ、上面に放熱口１Ｃを有し、内部に温水循環パイプ（図示せず）やプレートフィン（図示せず）などを内蔵した横長の箱状を成しており、床下や、壁Ｗなど外部からの配管にて温水を導き室内に放熱させるものである。１０は温水の流量を調節するための流量調節バルブである。
【００１２】
パネルラジエータ本体１は壁Ｗに取付けられるため、パネルラジエータ本体１の背面１Ａ上部には、係止具２がネジ止め、あるいはスポット溶接等により設けられている。この係止具２は長さがパネルラジエータ本体１の横幅と略同じ寸法で、厚さが１〜１．５ｍｍで、縦断面が略クランク形状をした金属板で作成され、それの係止具垂直長片２Ａは前記パネルラジエータ本体１の背面１Ａ上部に接合装着され、またそれの係止具水平片２Ｂ、係止具垂直短片２Ｃは後述する支持具３に係止する。
【００１３】
前記支持具３は、パネルラジエータ本体１を壁Ｗに取付けるためのものであり、この支持具３は厚さが１〜２ｍｍ、幅が２０〜３０ｍｍ、長さが１５０〜４００ｍｍの短冊状の金属板で作成され、パネルラジエータ本体１の横幅寸法により２本又は３本にてパネルラジエータ本体１を支持するようになっている。
【００１４】
支持具３は壁面固定部３Ｅに固定孔３Ｃ、３Ｄが開口され、この固定孔３Ｃ、３Ｄを介して支持具３はビスにより壁Ｗに固定される。また、３Ｂは支持具３の下部の爪部であり、その形状は斜め下向きに傾斜部を設け、その先端を略コ字状に屈曲した構造である。
【００１５】
支持具３の上部の構成は、上部に斜め上向きに傾斜した傾斜部３Ａ３有すると共に、その傾斜部３Ａ３の先端には水平片３Ａ１と垂直片３Ａ２とで略Ｌ字状に屈曲した屈曲部３Ａを形成し、この屈曲部３Ａとの間に前記係止具２の係止具垂直短片２Ｃを挟持するための挟持用空間５を形成する挟持具４を前記傾斜部３Ａ３に設けた構成である。
【００１６】
挟持具４は、厚さが０．５〜１．０ｍｍ，幅が２０〜３０ｍｍの弾性の金属板で作成され、支持具３の垂直片３Ａ２との間に１〜２ｍｍの間隔の挟持用空間５を設けて挟持具垂直片４Ｃを備え、支持具３の傾斜部３Ａ３の上面に添って挟持具傾斜部４Ｄを接合し、その先端部である挟持具先端部４Ａは、係止具垂直短片２Ｃを挟持用空間５に係止し易くするために壁Ｗ側に向かって僅かに折曲している。
【００１７】
そして、挟持具４は、挟持具先端部４Ａの折曲近辺の挟持具垂直片４Ｃ側に凸部４Ｂを有している。この凸部４Ｂは高さが１．５〜３．０ｍｍのダボである。
【００１８】
このように構成された支持具３にパネルラジエータ本体１を取付けるには、まず、支持具３の壁固定用の固定孔３Ｃ、３Ｄを介して壁Ｗの適所に所定の間隔をおいて支持具３を固定する。つぎに、パネルラジエータ本体１の背面１Ａに設けてある係止具２の係止具垂直短片２Ｃを挟持具４の凸部４Ｂに押圧し（図４参照）、そのままパネルラジエータ本体１を下方へずらす。このようにすることで、係止具２の係止具垂直短片２Ｃが挟持空間５に挿入され、係止具垂直短片２Ｃは支持具３と挟持具４とにより挟持され、パネルラジエータ本体１を簡単に支持具３に取付けることができる（図５参照）。このとき支持具３の下側の爪部３Ｂもほぼ同時にパネルラジエータ本体１の下方を係止することができる。
【００１９】
また、パネルラジエータ本体１の上方への移動は、挟持具４の凸部４Ｂに係止具水平片２Ｂが当接されるため支持具３から簡単に外れることがなく（図６参照）、反対に取外すときは、ある程度の力でパネルラジエータ本体１を引き上げることにより、挟持具４は弾性を有しているので壁Ｗ側に反り、凸部４Ｂを乗り越えてパネルラジエータ本体１を支持具３から取外すことも可能である。
【００２０】
さらにまた、挟持具４は、その先端部の挟持具先端部４Ａが壁Ｗ側に向かって折曲されている構成なので、係止具垂直短片２Ｃを挟持用空間５に挿入する時の位置合わせの範囲が広くなり、係止具垂直短片２Ｃを挟持用空間５に容易に係止することができ、パネルラジエータ本体１を容易に支持具３に取付けることができる。
【００２１】
本実施形態のパネルラジエータの取付構造によれば、パネルラジエータ本体１と、この本体１の背面１Ａ上部に設けられた縦断面形状が略クランク状の係止具２と、室内の壁Ｗに取付けられ、前記係止具２を係止させる支持具３とを備え、前記支持具３は、上部に斜め上向きに傾斜した傾斜部３Ａ３を有すると共に、その傾斜部３Ａ３の先端には略Ｌ字状に屈曲した屈曲部３Ａを形成し、この屈曲部３Ａとの間に前記係止具２を挟持するための挟持用空間５を形成する挟持具４を前記傾斜部３Ａ３に設けた構成なので、パネルラジエータ本体１を簡単に支持具３に取付けることができる。
【００２２】
また、挟持具４には、係止された状態の係止具２が外れるのを防ぐ凸部４Ｂを設けた構成なので、パネルラジエター本体１が上方へ移動しようとすると凸部４Ｂに係止具水平片２Ｂが当接されるため、支持具３からパネルラジエター本体１は簡単に外れることがない。
【００２３】
さらにまた、挟持具４は、弾性材料にて作成されている構成なので、ある程度の力でパネルラジエータ本体１を引き上げることにより、挟持具４は壁Ｗ側に反り、凸部４Ｂを乗り越えてパネルラジエータ本体１を支持具３から取外すことも可能である。
【００２４】
さらにまた、挟持具４は、その先端部の挟持具先端部４Ａが壁Ｗ側に向かって折曲されている構成なので、係止具垂直短片２Ｃを挟持用空間５に挿入する時の位置合わせの範囲が広くなり、係止具垂直短片２Ｃを挟持用空間５に容易に係止することができ、パネルラジエータ本体１を容易に支持具３に取付けることができる。
【００２５】
以上、一実施形態に基づいて本発明を説明したが、本発明はこれに限定されるものではない。
【００２６】
【発明の効果】
以上のように、請求項１に記載の本発明によれば、パネルラジエータ本体と、
この本体の背面上部に設けられた縦断面形状が略クランク状の係止具と、室内の壁に取付けられ、前記係止具を係止させる支持具とを備え、前記支持具は、上部に斜め上向きに傾斜した傾斜部を有すると共に、その傾斜部の先端には略Ｌ字状に屈曲した屈曲部を形成し、この屈曲部との間に前記係止具を挟持するための挟持用空間を形成する挟持具を前記傾斜部に設け、前記挟持具の先端部は、壁側に向かって折曲されている構成なので、パネルラジエータ本体を簡単に支持具に取付けることができ、更に、係止具垂直短片を挟持用空間に容易に係止することができるため、パネルラジエータ本体を容易に支持具に取付けることができる。
【００２７】
請求項２に記載の本発明によれば、挟持具には、係止された状態の係止具が外れるのを防ぐ凸部を設け、前記挟持具の先端部は、壁側に向かって折曲されている構成なので、支持具からパネルラジエター本体は簡単に外れることがない。更に、係止具垂直短片を挟持用空間に容易に係止することができるため、パネルラジエータ本体を容易に支持具に取付けることができる。
【００２８】
請求項３に記載の本発明によれば、挟持具は、弾性材料にて作成され、前記挟持具の先端部は、壁側に向かって折曲されている構成なので、ある程度の力でパネルラジエータ本体を引き上げることにより、挟持具が壁側に反りパネルラジエータ本体を取外すことも可能である。更に、係止具垂直短片を挟持用空間に容易に係止することができるため、パネルラジエータ本体を容易に支持具に取付けることができる。
【図面の簡単な説明】
【図１】本発明の一実施形態を示す壁に取付けた支持具からパネルラジエータ本体を取外した状態を説明する説明図である。
【図２】同じく壁に取付けた支持具にパネルラジエータ本体を取付けた状態の側面図である。
【図３】同じく挟持用空間にパネルラジエータ本体の係止具が挟持される前の状態を説明する説明図である。
【図４】同じくパネルラジエータ本体の係止具が挟持具の凸部を押圧することにより挟持具が反る状態を説明する説明図である。
【図５】同じくパネルラジエータ本体の係止具が支持具と挟持具とにより挟持された状態を説明する説明図である。
【図６】同じく挟持用空間よりパネルラジエータ本体の係止具が上方へ外れるのを挟持具の凸部により抑制されている状態を説明する説明図である。
【図７】従来の支持具と固定具と係止具とを説明する説明図である。
【図８】従来の支持具と固定具を使用して壁に本体を固定する状態を説明する説明図である。
【符号の説明】
１      パネルラジエータ本体
１Ａ    背面
２      係止具
３      支持具
３Ａ１  水平片（屈曲部）
３Ａ２  垂直片（屈曲部）
３Ａ３  傾斜部
４      挟持具
４Ａ    挟持具先端部
４Ｂ    凸部
５      挟持用空間
Ｗ      壁
【図１】
0004544797.tif 000002
【図２】
0004544797.tif 000003
【図３】
0004544797.tif 000004
【図４】
0004544797.tif 000005
【図５】
0004544797.tif 000006
【図６】
0004544797.tif 000007
【図７】
0004544797.tif 000008
【図８】
0004544797.tif 000009